(57)【特許請求の範囲】
【請求項１】
コンパクト形蛍光ランプを点灯させる点灯回路と、前記コンパクト形蛍光ランプと適合可能に構成されたソケットとを有する器具本体を具備する照明器具であって、前記コンパクト形蛍光ランプの点灯中に、前記コンパクト形蛍光ランプの発光管より輻射される熱気を前記コンパクト形蛍光ランプの外部に排出するための前記器具本体に設けられた少なくとも２つの通気管と、前記通気管の少なくとも１つに連結され前記熱気を強制的に排出するためのファンユニットとを具備することを特徴とする照明器具。
【請求項２】
内面に蛍光体が塗布された発光管と、前記発光管を固定するホルダーと、一端側に前記ホルダーが支持され、他端側に口金ピンが外側に備えられ、前記一端側と前記他端側との間に空間部が形成されたカバーとを具備するコンパクト形蛍光ランプであって、請求項１記載の照明器具の前記少なくとも２つの通気管に対応して、前記カバーの前記他端側に前記空間部へ通じる少なくとも２つの通気孔を具備することを特徴とするコンパクト形蛍光ランプ。
【請求項３】
請求項１記載の照明器具の前記少なくとも２つの通気管に、請求項２記載のコンパクト形蛍光ランプの前記少なくとも２つの通気孔がそれぞれ連結されるように、前記コンパクト形蛍光ランプが前記照明器具に装着されたことを特徴とする照明装置。
【請求項４】
前記通気孔が前記通気管と平面的に直接連結されることを特徴とする請求項３記載の照明装置。
【発明の詳細な説明】
【技術分野】
【０００１】
本発明はコンパクト形蛍光ランプに係り、特にコンパクト形蛍光ランプの発光管より輻射される熱気をコンパクト形蛍光ランプの外部に排気するのに好適なコンパクト形蛍光ランプ及び照明器具に関するものである。
【背景技術】
【０００２】
水銀蒸気圧制御としてアマルガムを使用する電球形蛍光ランプなどのコンパクト形蛍光ランプは、高温雰囲気下で最適な水銀蒸気圧で点灯する。このため、始動時を含む点灯初期の低温雰囲気下では最適な水銀蒸気圧ではなく、十分な光出力を得ることができない。従来、高温雰囲気下で最適な水銀蒸気圧で点灯しかつ始動時を含む点灯直後の低温雰囲気下でも最適な水銀蒸気圧で点灯する電球形蛍光ランプなどのコンパクト形蛍光ランプとして、定常点灯時での水銀蒸気圧を制御する主アマルガムの他に、消灯時に管内の浮遊水銀を吸着し、かつ始動時を含む点灯初期に上記吸着した水銀を放出する補助アマルガムを長方形で平面形状に形成し、長方形の長辺側一端をリード線に固定し、長辺側の他端側がその固定部よりも電極フィラメントに近接するように設置する技術が提案されている。この技術は、補助アマルガムを電極近傍に設置することで、フィラメントからの熱で水銀を放出させ、点灯初期の光出力を向上させるものである。この種の技術は例えば特開２００４−１５２７１４号公報に記載されている。
【特許文献１】特開２００４−１５２７１４号公報
【発明の開示】
【発明が解決しようとする課題】
【０００３】
従来のコンパクト形蛍光ランプに、長方形で平面形状に形成した補助アマルガムを長方形の長辺側一端をリード線に固定し、長辺側の他端側がその固定部よりも電極フィラメントに近接するように設置する技術では、発光管製造工程で補助アマルガムの設置が難しく、補助アマルガムがリード線から剥離しやすいという問題があった。
【０００４】
従って本発明の目的は、発光管製造工程に悪影響を与えることなく、高温雰囲気下で最適な水銀蒸気圧で点灯しかつ始動時を含む点灯直後の低温雰囲気下でも最適な水銀蒸気圧で点灯するコンパクト形蛍光ランプ及び照明器具を提供することにある。
【課題を解決するための手段】
【０００５】
本発明は、コンパクト形蛍光ランプにおいて点灯中の前記コンパクト形蛍光ランプの発光管より輻射される熱気を前記コンパクト形蛍光ランプの外部に強制的に排出することにより、上記問題を解決しようとするものである。
【０００６】
すなわち、上記目的は、コンパクト形蛍光ランプを点灯させる点灯回路と、前記コンパクト形蛍光ランプと適合可能に構成されたソケットとを具備する照明器具であって、前記コンパクト形蛍光ランプの点灯中に、前記コンパクト形蛍光ランプの発光管より輻射される熱気を前記コンパクト形蛍光ランプの外部に排出するための少なくとも２つの通気管と、前記通気管の少なくとも１つに連結され前記熱気を強制的に排出するためのファンユニットとを具備する照明器具により、達成される。
【０００７】
また、本発明に係るコンパクト形蛍光ランプは、内面に蛍光体が塗布された発光管と、前記発光管を固定するホルダーと、一端側に前記ホルダーが支持され、他端側に口金ピンが外側に備えられ、前記一端側と前記他端側との間に空間部が形成されたカバーとを具備するコンパクト形蛍光ランプであって、請求項１記載の照明器具の前記少なくとも２つの通気管に対応して、前記カバーの前記他端側に前記空間部へ通じる少なくとも２つの通気孔を具備するものである。
【０００８】
また、本発明に係る照明装置は、請求項１記載の照明器具の前記少なくとも２つの通気管に、請求項２記載のコンパクト形蛍光ランプの前記少なくとも２つの通気孔がそれぞれ連結されるように、前記コンパクト形蛍光ランプが前記照明器具に装着されたものである。ここで、前記通気孔は前記通気管と平面的に直接連結することができる。
【発明の効果】
【０００９】
本発明によれば、発光管製造工程に悪影響を与えることなく、高温雰囲気下で最適な水銀蒸気圧で点灯しかつ始動時を含む点灯直後の低温雰囲気下でも最適な水銀蒸気圧で点灯するコンパクト形蛍光ランプを提供することができる。すなわち、本発明では、発光管製造工程を変更する事なく、かつ、コンパクト形蛍光ランプのカバー部に通気孔を設け、通気管及びファンユニットを内蔵した専用器具と組合せることで、点灯安定時及び始動時を含む点灯直後に十分な光出力を得ることができる。
【発明を実施するための最良の形態】
【００１０】
以下、本発明に係るコンパクト形蛍光ランプと照明器具の実施例について電球形蛍光ランプを例にとって図面を参照しながら説明するが、本発明は電球形蛍光ランプに限定されない。
【００１１】
図１は本発明に係る電球形蛍光ランプの一実施例を示す図で、（ａ）はランプの一部切欠き図、（ｂ）は（ａ）の上平面図である。図１（ａ）に示すように、電球形蛍光ランプ１は、樹脂製のカバー２と、カバー２に設置された口金ピン３と、例えば１つまたは複数のＵ字状屈曲形バルブからなる発光管４と、発光管４を固定する樹脂製のホルダー５と、グローブガラス６とを備えて構成される。発光管４は、両端に電極を備え、内部には水銀および希ガスを含む放電媒体が封入されており、また、内面には蛍光体が塗布されている。発光管４はグローブガラス６で覆われている。
【００１２】
これらの構成要素のうち、樹脂製のカバー２は、図１（ａ）及び（ｂ）に示すように、一端側２１にホルダー５が支持され、他端側２２に口金ピン３が外側に備えられ、一端側２１と他端側２２との間に空間部２３が形成されている。また、樹脂製のカバー２は、点灯中の発光管４より輻射される熱気を電球形蛍光ランプの外部に強制的に排出し、外気を吸引するための四角形状の通気孔７が照明器具への適合面（他端側２２）に形成されている。すなわち、図中の２つの通気孔７は、カバー２の他端側２２（口金ピン３を備える側）で空間部２３へ通じるように、そして後述する照明器具の２つの通気管に対応する位置に設けられる。この通気孔７は、例えば、多角形や円形であっても構わない。通気孔７は少なくとも２つ設けられ、少なくとも１つが熱気排出用であり、他の少なくとも１つが外気吸入用である。
【００１３】
本実施例における通気孔７の効果は次のとおりである。すなわち、通気孔７をカバー２の表面に形成することにより、点灯中に発光管４とホルダー５とカバー２に囲まれた空間部２３に留まる発光管４から輻射される熱気がカバー２の通気孔７を大気の出入口として外部から強制的に発生させる対流により排出され、同時に外気が吸引され、発光管４の最冷部温度が低下するため、純水銀若しくは純水銀に近い組成のアマルガムを使用することができ、発光管製造工程を変更する事なく、点灯安定時及び始動時を含む点灯直後に十分な光出力を得ることができる。
【００１４】
図２は、本発明に係る電球形蛍光ランプを装着した専用のペンダント形照明器具の一実施例を示す概略図である。この蛍光ランプとそれを装着した照明器具とで照明装置を構成する。図２に示すように、電球形蛍光ランプ１専用のペンダント形照明器具８は、電球形蛍光ランプ１を点灯させる点灯回路３１を内蔵し、電球形蛍光ランプ１と適合可能に構成された電源供給用のソケット３２を有する器具本体９と、器具本体９に設けた通気管１０と、通気管１０に連結するファンユニット１１と、セード１２とリード線１３と引掛けシーリングキャップ１４を備えて構成される。
【００１５】
これらの構成要素のうち、器具本体９は、図２に示すように、電球形蛍光ランプ１を装着し点灯させたとき、点灯中に発光管４とホルダー５とカバー２に囲まれた空間部２３に留まる発光管４から輻射される熱気を、電球形蛍光ランプ１の２つの通気孔７から器具本体９の内部を経由して器具外部に排出しかつ外気の吸引が可能な２つの通気管１０と、強制的に対流を発生させ熱気を排気させ外気を吸引するためのファンユニット１１とを具備する。通気管１０は少なくとも２つ設けられ、少なくとも１つが熱気排出用であり、他の少なくとも１つが外気吸入用である。ファンユニット１１は、熱気排出用の通気管または外気吸入用の通気管またはその双方に連結することができる。電球形蛍光ランプ１の通気孔７は、照明器具８の通気管１０と平面的に直接連結することができる。照明器具８はペンダント形に限定されない。また、通気管１０は、図示のように、器具本体９の下部から上部に向けて配置されることが好ましい。これは、熱気が上方に移動しやすいこと、および通気管１０による熱気の排出および外気の吸入を、熱源である発光管４から十分離れた器具本体９の上部で行うのがよいからである。
【００１６】
本実施例における通気管１０とファンユニット１１の効果は次のとおりである。すなわち、通気管１０とファンユニット１１を器具本体９に形成することにより、電球形蛍光ランプ１を照明器具８に装着したとき電球形蛍光ランプ１のカバー２に設けた通気孔７と、照明器具８に設けた通気管１０が連結され、ファンユニット１１により強制的に対流を発生させることができる。また、図２に示すように、通気孔７と通気管１０とを平面的に直接連結することにより、部品点数は増えず、かつ照明装置の全体的な厚みも増加しない利点がある。この場合、電球形蛍光ランプ１のカバー２の少なくとも通気孔７の周辺部、及び照明器具８の器具本体９下面の通気管１０の周辺部は互いに平面とされる。
【００１７】
図３は、本発明に係る照明器具に装着された本発明の電球形蛍光ランプと、従来の照明器具に装着された従来の電球形蛍光ランプの、始動時から安定点灯までの発光管最冷点の温度推移の一例を示すグラフである。本図の横軸は点灯時間を示し、縦軸は発光管最冷点の相対温度を示す。図中、実線１５は本発明に係る照明器具に装着された本発明の電球形蛍光ランプの発光管最冷点の温度推移を表わし、破線１６は従来の照明器具に装着された従来の電球形蛍光ランプの発光管最冷点の温度推移を表わすものである。図３において、本発明の電球形蛍光ランプ（実線１５）と、従来の電球形蛍光ランプ（破線１６）を比較すると分かるとおり、本発明に係る照明器具に装着された本発明の電球形蛍光ランプは、従来品に比べ、安定時の発光管の最冷点温度を約５０％低減することができる。
【００１８】
図４は、本発明に係る照明器具に装着された本発明の電球形蛍光ランプで純水銀を封入した仕様と、従来の照明器具に装着された従来の電球形蛍光ランプで純水銀を封入した仕様と、従来の照明器具に装着された従来の電球形蛍光ランプでアマルガムを封入した仕様の、始動時から安定点灯までの相対発光出力の一例を示すグラフである。本図の横軸は点灯時間を示し、縦軸は各仕様の最大出力を１００としたときの相対発光出力を示す。図中、実線１７は本発明に係る照明器具に装着された本発明の電球形蛍光ランプで純水銀を封入した仕様の相対発光出力を表わし、破線１８は従来の照明器具に装着された従来の電球形蛍光ランプで純水銀を封入した仕様の相対発光出力を表わし、一点鎖線１９は従来の照明器具に装着された従来の電球形蛍光ランプでアマルガムを封入した仕様の相対発光出力を表わす。図４において、本発明の電球形蛍光ランプで純水銀を封入した仕様（実線１７）と、従来の電球形蛍光ランプで純水銀を封入した仕様（破線１８）と、従来の電球形蛍光ランプでアマルガムを封入した仕様（一点鎖線１９）を比較すると分かるとおり、本発明に係る照明器具に装着された本発明の電球形蛍光ランプは、始動時（図中左側）の相対発光出力を約６０％に改善することができ、かつ安定時（図中右側）の相対発光出力を１００％近くに維持することができる。これは、上記図３に示すとおり、安定時の発光管の最冷点温度を低減できるからである。
【産業上の利用可能性】
【００１９】
本発明はコンパクト形蛍光ランプ及び照明器具に係り、特にコンパクト形蛍光ランプの点灯安定時及び始動時を含む点灯直後に十分な光出力を得ることができるコンパクト形蛍光ランプ及び照明器具に関するものであり、産業上の利用可能性がある。
【図面の簡単な説明】
【００２０】
【図１】本発明に係る電球形蛍光ランプの一実施例を示す図で、（ａ）はランプの一部切欠き図、（ｂ）は（ａ）の上平面図である。
【図２】本発明に係る電球形蛍光ランプを装着した専用のペンダント形照明器具の一実施例を示す概略図である。
【図３】本発明に係る照明器具に装着された本発明の電球形蛍光ランプと、従来の照明器具に装着された従来の電球形蛍光ランプの、始動時から安定点灯までの発光管最冷点の温度推移の一例を示すグラフである。
【図４】本発明に係る照明器具に装着された本発明の電球形蛍光ランプで純水銀を封入した仕様と、従来の照明器具に装着された従来の電球形蛍光ランプで純水銀を封入した仕様と、従来の照明器具に装着された従来の電球形蛍光ランプでアマルガムを封入した仕様の、始動時から安定点灯までの相対発光出力の一例を示すグラフである。
【符号の説明】
【００２１】
１  電球形蛍光ランプ
２  樹脂製カバー
３  口金ピン
４  発光管
５  ホルダー
６  グローブガラス
７  通気孔
８  照明器具
９  器具本体
１０  通気管
１１  ファンユニット
１２  セード
１３  リード線
１４  引掛けシーリングキャップ
２１  一端側
２２  他端側
２３  空間部
３１  点灯回路
３２  ソケット
【図１】
0004404037.tif 000002
【図２】
0004404037.tif 000003
【図３】
0004404037.tif 000004
【図４】
0004404037.tif 000005